(57)【要約】      （修正有）【課題】起状態の水流による振動を低減できるゴム堰を提供する。【解決手段】流路を開閉するよう水路の幅方向に沿って設置され、流体の流入及び排出により起伏可能な筒状の可撓性袋体２を備えるゴム堰１であって、上記可撓性袋体の上流側に一方の長辺側が固定され、起状態における可撓性袋体の少なくとも上流側を覆うよう設置される略帯状の保護シート３を備え、上記保護シートの他方の長辺が変調していることを特徴とする。上記保護シートが、幅が大きい凸域４と幅が小さい凹域５とを長手方向に交互に有しているとよい。上記保護シートの他方の長辺が、凸域で起状態における可撓性袋体の下流側最突出線より下方に位置し、凹域で起状態における可撓性袋体の最上線及び下流側最突出線間に位置するとよい。【選択図】図１
2014169575.tif 000002
【特許請求の範囲】
【請求項１】
流路を開閉するよう水路の幅方向に沿って設置され、流体の流入及び排出により起伏可能な筒状の可撓性袋体を備えるゴム堰であって、
上記可撓性袋体の上流側に一方の長辺側が固定され、起状態における可撓性袋体の少なくとも上流側を覆うよう設置される略帯状の保護シートを備え、
上記保護シートの他方の長辺が変調していることを特徴とするゴム堰。
【請求項２】
上記保護シートが、幅が大きい凸域と幅が小さい凹域とを長手方向に交互に有している請求項１に記載のゴム堰。
【請求項３】
上記保護シートの他方の長辺が、凸域で起状態における可撓性袋体の下流側最突出線より下方に位置し、凹域で起状態における可撓性袋体の最上線及び下流側最突出線間に位置する請求項２に記載のゴム堰。
【請求項４】
上記保護シートが、他方の長辺側かつ凸域と凹域との間に切り込みを有する請求項２又は請求項３に記載のゴム堰。
【請求項５】
上記保護シートの凸域の長手方向平均幅が０．８ｍ以上１．２ｍ以下、凹域の長手方向平均幅が０．４ｍ以上０．６ｍ以下である請求項２、請求項３又は請求項４に記載のゴム堰。
【請求項６】
上記凸域の長手方向平均幅の凹域の長手方向平均幅に対する比が１．５以上２．５以下である請求項２、請求項３又は請求項４に記載のゴム堰。
【請求項７】
上記保護シートの他方の長辺の両側が凹域になっている請求項２から請求項６のいずれか１項に記載のゴム堰。
【請求項８】
上記保護シートの凸域における下流側最突出線より下方への突出平均長さが上記下流側最突出線の平均高さの５％以上５０％以下である請求項３から請求項７のいずれか１項に記載のゴム堰。
【発明の詳細な説明】
【技術分野】
【０００１】
本発明は、ゴム堰に関する。
【背景技術】
【０００２】
水の貯留や取水のために河川等の水路に設置される堰として、図４に示すような空気や水等の流体を供給及び排出することで起立及び倒伏するゴム製の袋体１０２を有するゴム堰１０１が普及している。上記袋体１０２は、長方形状のゴムシートを端部同士が密着するように折り曲げて川床等にアンカーボルト１１０等の手段によって固定することで形成されており、内部に密閉空間を有する。このゴム堰１０１は、起状態では袋体１０２が略円筒状に膨張して堰として機能し、倒伏状態では袋体１０２が略シート状に萎縮して水を流下させる。なお、袋体１０２を保護するために袋体１０２の上面側に帯状の保護シートが備えられる場合もある。
【０００３】
上記袋体が起立した状態において、この袋体に対する水脈の付着及び剥離や水脈の不均一性に起因する圧力の変動によって袋体に振動が発生する。この振動が大きくなると、騒音、水位の変動、堰の破損等の不具合が生じる。この振動は、袋体の下流側面における水脈の付着又は剥離によって生じるものと推測される。そこで、この水脈の剥離をより高い位置で強制的に発生させるために袋体又は保護シートにデフレクタ（スポイラ）と呼ばれる突起を設けて振動を抑制するゴム堰が考案されている（特開平１１−３０３０４９号公報参照）。
【０００４】
しかしながら、袋体を形成するゴムシートで上記デフレクタを形成する場合、ゴムシートの厚さを大きくする必要や構造を変更する必要があるため製造コストが増大する。一方で、デフレクタを別途袋体に装着する場合も、装着の手間が増加するため製造コストの増加を免れない。
【先行技術文献】
【特許文献】
【０００５】
【特許文献１】特開平１１−１７３３８４号公報
【発明の概要】
【発明が解決しようとする課題】
【０００６】
本発明の目的は、以上のような事情に基づいてなされたものであり、起状態の水流による振動を抑制できるゴム堰を提供することにある。
【課題を解決するための手段】
【０００７】
上記課題を解決するためになされた発明は、
流路を開閉するよう水路の幅方向に沿って設置され、流体の流入及び排出により起伏可能な筒状の可撓性袋体を備えるゴム堰であって、
上記可撓性袋体の上流側に一方の長辺側が固定され、起状態における可撓性袋体の少なくとも上流側を覆うよう設置される略帯状の保護シートを備え、
上記保護シートの他方の長辺が変調していることを特徴とする。
【０００８】
従来のゴム堰においては、可撓性袋体からの越流が可撓性袋体の下流側に流れ込み、可撓性袋体の下流側下方で付着と剥離とが周期的に繰り返され、その繰り返しにより可撓性袋体が共振して振動を発生させていると推定される。当該ゴム堰は、上記保護シートの他方の長辺、つまり越流側の端辺が変調しているため、保護シート上面の越流が起こす付着と剥離との周期が変調し、共振を抑制することができ、振動の発生を抑制することができる。
【０００９】
上記保護シートが、幅が大きい凸域と幅が小さい凹域とを長手方向に交互に有しているとよい。このように保護シートに凸域及び凹域を長手方向に交互に設けることで、容易に保護シートの他方の長辺を変調し、上述の越流が起こす付着と剥離との周期を変え、共振を簡易かつ効果的に抑制することができる。
【００１０】
上記保護シートの他方の長辺が、凸域で起状態における可撓性袋体の下流側最突出線より下方に位置し、凹域で起状態における可撓性袋体の最上線及び下流側最突出線間に位置するとよい。このように保護シートの他方の長辺（下流側長辺）を凸域で可撓性袋体の下流側最突出線より下方に位置させ、凹域で可撓性袋体の最上線及び下流側最突出線間に位置させることで、凸域及び凹域での越流の付着と剥離とのタイミングを凸域及び凹域で異ならせ、上述の越流が起こす付着と剥離との周期を凸域及び凹域で変え、共振をより効果的に抑制することができる。
【００１１】
上記保護シートが、他方の長辺側かつ凸域と凹域との間に切り込みを有するとよい。このように保護シートの他方の長辺側かつ凸域と凹域との間に切り込みを有することで、短い凹域の他の長辺側がその材料の弾性により可撓性袋体外面から跳ね上がることとなり、この可撓性袋体外面から跳ね上がった凹域が越流に対してスポイラとして機能し、凹域での越流の剥離をさらに促進する結果、上述の付着と剥離による共振をより効果的に抑制することができる。
【００１２】
上記保護シートの凸域の長手方向平均幅としては、０．８ｍ以上１．２ｍ以下が好ましい。また、凹域の長手方向平均幅としては、０．４ｍ以上０．６ｍ以下が好ましい。このように凸域及び凹域の長手方向平均幅をそれぞれ上記範囲内とすることで、越流が起こす付着と剥離との周期を容易かつ確実に変えることができる。
【００１３】
また上記凸域の長手方向平均幅の凹域の長手方向平均幅に対する比としては、１．５以上２．５以下が好ましい。このように凸域と凹域との比を上記範囲内とすることでも、越流が起こす付着と剥離との周期を容易かつ確実に変えることができる。
【００１４】
上記保護シートの他方の長辺の両側が凹域になっているとよい。このように保護シートの他方の長辺の両側を凹域とすることで、可撓性袋体の長手方向両端部の下方領域において水量の減少による低圧力領域が発生することを防止できるため、振動の発生をより効果的に防止することができる。
【００１５】
上記保護シートの凸域における下流側最突出線より下方への突出平均長さとしては、上記下流側最突出線の平均高さの５％以上５０％以下が好ましい。このように保護シートの凸域における下流側最突出線より下方への突出平均長さを上記下流側最突出線の平均高さの５％以上５０％以下とすることで、凸域に沿った水流を鉛直方向に誘導できるため、上述の付着と剥離による振動をより効果的に抑制することができる。
【００１６】
ここで、「凸域（凹域）の長手方向平均幅」とは、保護シートの長手方向両側に形成される凸域（凹域）を除く凸域（凹域）の長手方向平均幅を意味する。「突出平均長さ」とは、可撓性袋体の下流側最突出線の高さと各凸域の最下点の高さとの差の平均値を意味する。
【発明の効果】
【００１７】
以上説明したように、本発明のゴム堰は、起状態の水流による振動を低減することができる。
【図面の簡単な説明】
【００１８】
【図１】本発明の一実施形態に係るゴム堰を水路の下流側から見た模式的正面図である。
【図２】図１のゴム堰を示す模式的端面図であり、（ａ）は図１のＡＡ線での端面図、（ｂ）は図１のＢＢ線での端面図である。
【図３】図１の実施形態とは異なる実施形態に係るゴム堰を水路の下流側から見た模式的正面図である。
【図４】従来のゴム堰を水路の下流側から見た模式的正面図である。
【発明を実施するための形態】
【００１９】
以下、適宜図面を参照しつつ、本発明の実施形態を詳説する。
【００２０】
図１に示すゴム堰１は、流体の流入及び排出により起伏可能な筒状の可撓性袋体２と、この可撓性袋体２の上流側に一方の長辺側が固定され、起状態における可撓性袋体２の少なくとも上流側を覆うよう設置される略帯状の保護シート３とを備える。当該ゴム堰１は、流路を開閉するよう水路の幅方向に沿って設置される。
【００２１】
＜可撓性袋体＞
可撓性袋体２は、長方形状のゴムシートから形成され、このゴムシートの端部が内部に密閉空間を形成するようアンカーボルト１０等の固定手段で水路の底面に固定される。可撓性袋体２は、このゴムシートに囲まれる密閉空間内に空気、水等の流体を供給することで筒状に膨張し起立する。また可撓性袋体２は、この起状態から内部の流体を排出することでゴムシートが帯状に折り畳まれた状態に萎縮し倒伏する。
【００２２】
可撓性袋体２は、１枚の連続したゴムシートで形成されていてもよく、２枚以上のゴムシートを接合することで形成されていてもよい。
【００２３】
可撓性袋体２を形成するゴムシートは、強度を持たせるために複数の層を積層して形成される。このゴムシートの構成としては、例えば内側ゴム層、内側帆布層、外側帆布層及び外側ゴム層をこの順に積層した構成を用いることができる。
【００２４】
上記内側ゴム層及び外側ゴム層に用いるゴム組成物のベースゴムとしては、例えば天然ゴム（ＮＲ）、ブタジエンゴム（ＢＲ）、スチレン−ブタジエンゴム（ＳＢＲ）、エチレン−プロピレンゴム（ＥＰＭ、ＥＰＤＭ）、クロロプレンゴム（ＣＲ）、イソプレンゴム（ＩＲ）、アクリロニトリル−ブタジエン系ゴム（ＮＢＲ、ＮＩＲ等）等が挙げられる。これらの中でも耐候性に優れるエチレン−プロピレンゴムが好ましい。
【００２５】
上記ゴム組成物には、硫黄系、有機過酸化物系、金属酸化物系、フェノール樹脂、キノンジオキシム等の加硫剤が添加される。硫黄系の加硫剤としては、例えば粉末硫黄、沈降性硫黄、高分散性硫黄、表面処理硫黄、不溶性硫黄、ジモルフォリンジサルファイド、アルキルフェノールジサルファイド等が挙げられる。有機過酸化物系の加硫剤としては、例えば、ベンゾイルパーオキサイド、ｔ−ブチルヒドロパーオキサイド、２，４−ジクロロベンゾイルパーオキサイド、２，５−ジメチル−２，５−ジ（ｔ−ブチルパーオキシ）ヘキサン、２，５−ジメチルヘキサン−２，５−ジ（パーオキシルベンゾエート）等が挙げられる。金属酸化物系の加硫剤としては、例えば亜鉛華、酸化マグネシウム等が挙げられる。
【００２６】
上記組成物には、上記加硫剤の他に、例えば加硫促進剤、加硫助剤、加硫遅延剤、カーボンブラック、シリカなどの補強剤、炭酸カルシウム、タルクなどの充填剤（フィラー）、マイクロクリスタリンワックス等のワックス類、アロマオイル等のオイル類、ポリマー類、老化防止剤、酸化防止剤、顔料（染料）、可塑剤、揺変成付与剤、紫外線吸収剤、難燃剤、溶剤、界面活性剤（レベリング剤を含む）、分散剤、脱水剤、防錆剤、接着付与剤、帯電防止剤、加工助剤等の配合剤を一種又は複数種配合することができる。
【００２７】
上記内側帆布層、外側帆布層に用いる帆布としては、耐屈曲性及び耐衝撃性の観点から、ポリアミド繊維やアラミド繊維等を織った布が好ましく、例えばナイロン製帆布が好ましい。
【００２８】
また、可撓性袋体２を形成するゴムシートの構成は上述のものに限定されず、ゴムシートがゴム層のみで構成されていてもよく、補強層として金属又は化学繊維製の補強コードを埋設したゴム層を積層してもよい。また、ゴムシートは単層であってもよい。
【００２９】
可撓性袋体２を形成するゴムシートの平均厚さとしては、例えば６ｍｍ以上２０ｍｍ以下とすることができる。
【００３０】
可撓性袋体２の萎縮状態（内部空間に流体が供給されていない状態）での幅（水流方向の長さ）としては、特に限定されないが例えば１ｍ以上２０ｍ以下とすることができる。
【００３１】
上記ゴムシートから可撓性袋体２を形成する方法は特に限定されないが、例えば以下の方法で可撓性袋体２を形成することができる。まず、ゴムシートを形成する各層を積層する。このときゴム層は未加硫のままとする。次に、最も内側の層にゴムシートよりも幅（短手長さ）が小さい離形シートを積層し、この離型シートを挟むように各層の積層体を内側に折り曲げて重ねる。その後、この積層体を加硫することで長手の端部同士が重ねられた状態のゴムシートが得られる。このゴムシートの端部を重ねた部分をアンカーボルト１０で密着させつつ当該ゴム堰１を設置する水路の底面に固定することで可撓性袋体２が得られる。なお、水路の法面に対しても同様にアンカーボルト等の固定手段でゴムシートの短手の端部同士が重ねられた状態で固定することで、固定した可撓性袋体２の内部に密閉空間が形成される。
【００３２】
＜保護シート＞
保護シート３は、可撓性袋体２の水路上流側を被覆する略帯状のシートであり、下流側長辺が変調している。具体的には、保護シート３は、幅が大きい凸域４と幅が小さい凹域５とを長手方向に交互に有している。この複数の凸域４及び凹域５は、例えばゴム製のシートを任意の形状に切断することにより形成できる。
【００３３】
上記複数の凸域４の構成を具体的に説明すると、水流方向の位置が異なる直線状の辺（凸域４の下流側辺及び凹域５の下流側辺）が、水流方向に沿った直線状の辺で交互に接続されている。凸域４及び凹域５の下流側辺は水路の幅方向と略平行（水流方向と略垂直）に形成されている。また、保護シート３の下流側長辺は、凸域４で起状態における可撓性袋体２の下流側最突出線より下方に位置し、凹域５で起状態における可撓性袋体２の最上線及び下流側最突出線間に位置している。なお、保護シート３の下流側長辺の両側には凹域５が形成されている。さらに、凹域５をスポイラとして機能させるために凸域４と凹域５との間に切り込みを設けてもよい。
【００３４】
また、可撓性袋体２の倒伏状態において保護シート３が可撓性袋体２を完全に被覆できるように、保護シート３の下流側長辺は、凸域４及び凹域５で倒伏状態の可撓性袋体２の下流側最突出線（折り返し部）よりも下流側に位置することが好ましい。
【００３５】
保護シート３が有する凸域４及び凹域５の数は特に限定されないが、凸域４の数を２以上とすることが好ましい。凸域４の数が上記下限未満の場合、当該ゴム堰１の振動低減効果が十分発揮されないおそれがある。
【００３６】
保護シート３の凸域４の長手方向平均幅ｗ１の下限としては、０．８ｍが好ましく、０．９ｍがより好ましく、０．９５ｍがさらに好ましい。一方、凸域４の長手方向平均幅ｗ１の上限としては、１．２ｍが好ましく、１．１ｍが好ましく、１．０５ｍがさらに好ましい。凸域４の長手方向平均幅ｗ１が上記下限未満の場合、保護シート３上面の越流が起こす付着と剥離との周期が十分変調できないおそれがある。逆に、凸域４の長手方向平均幅ｗ１が上記上限を超える場合、遠方に誘導する水脈が大きくなり過ぎて、可撓性袋体２の近傍の圧力が相対的に減少し、圧力変動に起因して振動が大きくなるおそれがある。
【００３７】
保護シート３の凹域５（両側の凹域５を除く）の長手方向平均幅ｗ２の下限としては、０．４ｍが好ましく、０．４５ｍがより好ましく、０．４８ｍがさらに好ましい。一方、凹域５の長手方向平均幅ｗ２の上限としては、０．６ｍが好ましく、０．５５ｍが好ましく、０．５２ｍがさらに好ましい。凹域５の長手方向平均幅ｗ２が上記下限未満の場合、可撓性袋体２の近傍に誘導する水脈が小さくなることで可撓性袋体２の近傍の圧力が相対的に減少し、圧力変動に起因して振動が大きくなるおそれがある。逆に、凹域５の長手方向平均幅ｗ２が上記上限を超える場合、保護シート３上面の越流が起こす付着と剥離との周期が十分変調できないおそれがある。
【００３８】
保護シート３の下流側長辺両側の凹域５の長手方向平均幅ｗ３の下限としては、０．１ｍが好ましく、０．１５ｍがより好ましい。一方、下流側長辺両側の凹域５の長手方向平均幅ｗ３の上限としては、０．６ｍが好ましく、０．５ｍがより好ましい。下流側長辺両側の凹域５の長手方向平均幅ｗ３が上記下限未満の場合、両側において可撓性袋体２の下方領域の水量が減少し、この領域の圧力が相対的に減少し、圧力変動に起因して振動が大きくなるおそれがある。逆に、下流側長辺両側の凹域５の長手方向平均幅ｗ３が上記上限を超える場合、保護シート３上面の越流が起こす付着と剥離との周期が十分変調できないおそれがある。
【００３９】
また凸域４の長手方向平均間隔ｗ１の凹域５の長手方向平均間隔ｗ２に対する比の下限としては、１．５が好ましく、１．８がより好ましい。一方、凸域４の長手方向平均間隔ｗ１の凹域５の長手方向平均間隔ｗ２に対する比の上限としては、２．５が好ましく、２．３がより好ましい。凸域４の長手方向平均間隔ｗ１の凹域５の長手方向平均間隔ｗ２に対する比が上記下限未満の場合、保護シート３上面の越流が起こす付着と剥離との周期が十分変調できないおそれがある。逆に、凸域４の長手方向平均間隔ｗ１の凹域５の長手方向平均間隔ｗ２に対する比が上記上限を超える場合、遠方に誘導する水脈が大きくなり過ぎて、可撓性袋体２の近傍の圧力が相対的に減少し、圧力変動に起因して振動が大きくなるおそれがある。
【００４０】
保護シート３の凸域４における可撓性袋体２の下流側最突出線より下方への突出平均長さｄ１の下限としては、可撓性袋体２の下流側最突出線の平均高さＨの５％が好ましく、１０％がより好ましい。一方、凸域４における突出平均長さｄ１の上限としては、可撓性袋体２の下流側最突出線の平均高さＨの５０％が好ましく、４０％がより好ましい。凸域４における突出平均長さｄ１が上記下限未満の場合、当該ゴム堰１の振動低減効果が十分発揮されないおそれがある。逆に、凸域４における突出平均長さｄ１が上記上限を超える場合、凸域４に誘導される水脈と凹域５に誘導される水脈との間隔が大きくなりすぎて圧力変動に起因する振動が発生するおそれがある。
【００４１】
保護シート３の凹域５における可撓性袋体２の下流側最突出線からの平均高低差ｄ２の下限としては、可撓性袋体２の下流側最突出線の平均高さＨの１０％が好ましく、２０％がより好ましい。一方、凹域５における可撓性袋体２の下流側最突出線からの平均高低差ｄ２の上限としては、可撓性袋体２の下流側最突出線の平均高さＨの１００％が好ましく、８０％がより好ましい。凹域５における平均高低差ｄ２が上記下限未満の場合、凹域５に誘導される水脈が可撓性袋体２の近傍ではなく比較的遠方に誘導されるため、当該ゴム堰１の振動低減効果が十分発揮されないおそれがある。逆に、凹域５における平均高低差ｄ２が上記上限を超える場合、倒伏状態で保護シート３が可撓性袋体２を完全に被覆できず保護シート３を十分保護できないおそれがある。
【００４２】
保護シート３の長手方向幅としては、当該ゴム堰１が設置される河床幅又は水路床幅の８０％以上１００％以下が好ましい。保護シート３の長手方向幅が上記下限未満の場合、当該ゴム堰１の振動低減効果が十分奏されないおそれがある。また、可撓性袋体２を十分保護できないおそれがある。
【００４３】
保護シート３は、ゴム層単層、又はゴム層、帆布層等の複数の層の積層体で構成される。保護シート３に用いるゴム層、帆布層等は、上述した可撓性袋体２を形成するゴムシートと同じものを用いることができる。
【００４４】
保護シート３の平均厚さとしては、例えば、６ｍｍ以上２０ｍｍ以下とすることができる。
【００４５】
＜ゴム堰＞
当該ゴム堰１は、上記可撓性袋体２を図２（ａ）及び（ｂ）に示すようにアンカーボルト１０で閉じ部（ゴムシートの長手端同士を重ね合わせた部分）を水路の底面（堰基礎部分）に固定し、さらにこの可撓性袋体２の上流側（図中左側）の面を被覆するように上記保護シート３の一端を水路底面に固定することで得られる。なお、図示していないが、可撓性袋体２は、短手端が水路の法面（両壁）にアンカーボルト等で固定され内部に密閉空間が形成される。また、可撓性袋体２には流体の供給口及び排出口が設けられており、例えばポンプ等によって水や空気等の流体が可撓性袋体２の内部に供給又は内部から排出される。なお、可撓性袋体２を形成するゴムシートの２つの長手端を重ね合わせずに個別に水路底面に密着固定させてもよいが、密着性及び作業性の観点から上述のように長手端を重ね合わせて固定することが好ましい。
【００４６】
なお、図２では、保護シート３を固定する水路底面を可撓性袋体２を固定する水路底面よりも高くしているが、この構成は必須ではなく、保護シート３及び可撓性袋体２を同じ水平高さで固定してもよい。また、コスト低減のために保護シート３と可撓性袋体２とを同じアンカーボルトで固定してもよい。ただし、保護シート３の取り換え等の観点から、保護シート３と可撓性袋体２とは別々に固定することが好ましい。また、可撓性袋体２及び保護シート３を固定する手段はアンカーボルトに限定されず、板状の固定部材を用いてもよい。
【００４７】
＜利点＞
当該ゴム堰１は、保護シート３の下流側長辺、つまり越流側の端辺が幅が大きい凸域４と幅が小さい凹域５とを長手方向に交互に有して変調しているため、保護シート３上面の越流が起こす付着と剥離との周期が変調し、共振を抑制することができ、振動の発生を抑制することができる。
【００４８】
さらに当該ゴム堰１は、凸域４及び凹域５の下流側長辺を水路の幅方向と略平行、つまり水流と略垂直となるように形成しているため、水脈の蛇行等を低減しつつ水脈を誘導することができ、乱流の発生を抑えて圧力の変動をさらに低減し、振動をより効果的に低減することができる。また、保護シート３の下流側長辺両側を凹域５としているため、可撓性袋体２の両端部において下方領域に一定の水脈を誘導でき、この領域において水量の減少による低圧力領域が発生することに起因する振動を防止できる。
【００４９】
［その他の実施形態］
本発明のゴム堰は、上述の実施形態に限定されるものではなく、以下のような実施形態とすることもできる。
【００５０】
上記実施形態では、保護シートの凸域及び凹域での下流側長辺を直線で構成したが、図３に示すゴム堰１１のように保護シート１３が有する凸域１４及び凹域１５での下流側長辺が曲線で構成されていてもよい。また、保護シートの下流側長辺が凸域及び凹域において頂点を有する形状であってもよい。ただし、より確実に水脈を可撓性袋体の遠方と近傍とに分離誘導するために保護シートの下流側長辺は連続的な辺になっていることが好ましい。
【００５１】
また、複数の凸域及び凹域は、保護シートの下流側長辺に複数の板状のフィンを接合することで形成してもよい。
【００５２】
なお、当該ゴム堰は、河川の堰としての使用のほか、可撓性の防潮堤として使用することができる。
【産業上の利用可能性】
【００５３】
本発明のゴム堰は、効果的に振動を防止できるため、河川の堰として好適に用いることができる。
【符号の説明】
【００５４】
１、１１  ゴム堰
２  可撓性袋体
３、１３  保護シート
４、１４  凸域
５、１５  凹域
１０  アンカーボルト
【図１】
2014169575.tif 000003
【図２】
2014169575.tif 000004
【図３】
2014169575.tif 000005
【図４】
2014169575.tif 000006